(57)【要約】  音生成物体の装着者の耳の間の距離（Ｄ）を決定する方法が開示される。方法は、装着者の頭部の中心軸（６）を取得するため、音生成物体（４）の装着者の頭部（２）の形状を表すモデルを選択するステップを備える。次のステップは、第１音生成物体を装着者の耳と関連付けることである。第１音生成物体は、第１加速度計（１０）と第２加速度計（１２）を備え、加速度計のそれぞれは、少なくとも装着者の頭部の前記中心軸に略直交する加速度成分（ａ１、ａ２）を測定するように配置される。加速度成分（ａ１、ａ２）が同じ方向を有するように、２つの加速度計は、装着者の頭部の中心軸に略直交する直線（１４）が、２つの加速度計を通過するように配置され、前記２つの加速度計は、既知の距離（Δｒ）だけ離間している。方法は、装着者の頭部が動くとき、第１加速度計によって、第１加速度成分（ａ１）の値を決定し、第２加速度計によって、第２加速度成分（ａ２）の値を決定するステップをさらに備える。別のステップでは、加速度成分（ａ１、ａ２）の取得された値に基づいて、装着者の耳の間の距離（Ｄ）が決定される。本開示はまた、２つの加速度計を備える第１耳装着音生成物体に関する。【選択図】図２
2020520198.tif 000002
【特許請求の範囲】
【請求項１】
音生成物体（４）の装着者の耳の間の距離（Ｄ）を決定する方法であって、
前記装着者の頭部の中心軸（６）を取得するため、前記音生成物体（４）の前記装着者の前記頭部（２）の形状を表すモデルを選択すること（２０）と、
前記第１音生成物体（４）を前記装着者の耳と関連付けること（３０）であって、前記第１音生成物体（４）は、第１加速度計（１０）および第２加速度計（１２）を備え、前記加速度計（１０、１２）のそれぞれは、少なくとも前記装着者の頭部の前記中心軸（６）に略直交する加速度成分（ａ１、ａ２）を測定するように配置されており、前記加速度成分（ａ１、ａ２）が同じ方向を有するように、前記第１および前記第２加速度計（１０、１２）は、前記装着者の頭部の前記中心軸（６）に略直交する直線（１４）が前記第１および前記第２加速度計（１０、１２）を通過するように配置されており、前記第１および前記第２加速度計（１０、１２）は、既知の距離（Δｒ）だけ離間している、前記関連付けること（３０）と、
前記装着者の前記頭部（２）が動くとき、前記第１加速度計（１０）によって、前記第１加速度成分（ａ１）の値を決定し、前記第２加速度計（１２）によって、前記第２加速度成分（ａ２）の値を決定すること（４０）と、
前記モデルと、前記第１および第２加速度成分（ａ１、ａ２）の取得された前記値と、前記第１加速度計および第２加速度計の間の前記既知の距離とに基づいて、前記装着者の前記耳の間の距離（Ｄ）を決定すること（５０）と、を備える方法。
【請求項２】
前記距離（Ｄ）は、時間の関数として決定され、時間間隔で平均化される、請求項１に記載の方法。
【請求項３】
前記時間間隔の長さは、少なくとも６０秒である、請求項２に記載の方法。
【請求項４】
第１耳装着音生成物体（４）であって、
装着者の頭部の中心軸（６）を取得するため、前記音生成物体の前記装着者に、前記頭部（２）の形状を表すモデルを選択可能にする手段と、
第１加速度計（１０）および第２加速度計（１２）と、を備え、
前記加速度計のそれぞれは、少なくとも前記装着者の頭部（２）の前記中心軸に略直交する加速度成分（ａ１、ａ２）を測定するように配置されており、前記加速度成分（ａ１、ａ２）が同じ方向を有するように、前記第１および前記第２加速度計（１０、１２）は、前記装着者の頭部の前記中心軸（６）に略直交する直線（１４）が前記第１および前記第２加速度計（１０、１２）を通過するように配置されており、前記第１および前記第２加速度計（１０、１２）は、既知の距離（Δｒ）だけ離間しており、
前記第１加速度計（１０）は、第１加速度成分（ａ１）の値を決定する手段を備え、前記第２加速度計（１２）は、第２加速度成分（ａ２）の値を決定する手段を備え、
前記第１耳装着音生成物体（４）は、前記モデルと、前記第１および第２加速度成分（ａ１、ａ２）の取得された前記値と、前記第１加速度計および前記第２加速度の間の前記既知の距離とに基づいて、前記装着者の前記耳の間の距離（Ｄ）を決定する手段を備える、第１耳装着音生成物体。
【請求項５】
前記音生成物体は聴覚機器である、請求項４に記載の第１耳装着音生成物体（４）。
【請求項６】
前記音生成物体は、ヘッドフォンのイヤパッドにより覆われる、請求項４に記載の第１耳装着音生成物体（４）。
【請求項７】
前記音生成物体は、ヘッドセットの一部であるイヤピースである、請求項４に記載の第１耳装着音生成物体（４）。
【請求項８】
前記音生成物体はヒアラブルである、請求項４に記載の第１耳装着音生成物体（４）。
【請求項９】
前記装着者の前記耳の間の距離（Ｄ）を決定するための、請求項４から８のいずれか一項に記載の耳装着音生成物体（４）における、第１加速度計（１０）および第２加速度計（１２）の使用であって、
前記加速度計（１０、１２）のそれぞれは、少なくとも前記装着者の頭部の中心軸（６）に略直交する加速度成分（ａ１、ａ２）を測定するように配置されており、
前記第１加速度計は、前記第２加速度計から既知の距離（Δｒ）だけ離間しており、
前記第１加速度計は、前記装着者の前記頭部（２）が動くときに第１加速度成分（ａ１）の値を決定する手段を備え、前記第２加速度計は、前記装着者の前記頭部（２）が動くときに第２加速度成分（ａ２）の値を決定する手段を備える、使用。
【発明の詳細な説明】
【技術分野】
【０００１】
本開示は、主に音生成物体の装着者の耳の間の距離を決定する方法に関する。
【背景技術】
【０００２】
ヘッドセット、補聴器、ヒアラブル等のデバイスによる仮想音提示の技術においては、聴者が外部音（即ち、空間キューを含む音）を感知可能であることが望ましい。通常、空間キューは電気音響信号から得られる情報に基づいてソフトウェアにより生成される。これにより、聴者の頭部の外側に存在するかのような、仮想的な音源が実現される。
【０００３】
これに関して十分なユーザ体験を実現するため、聴者の２つの耳の間の物理的、即ちユークリッド距離を正確に得る必要がある。これが求められる例として、汎用の頭部伝達関数（ＨＲＴＦ）がユーザの頭部の形状に一致するように調整される必要がある場合が挙げられる。関連する例として、バイラテラルビームフォーマが挙げられる。そこでは、より高度なビームフォーミング用途には、耳間距離により示される頭部サイズが重要な入力パラメータとなる。
【０００４】
当然、耳間距離のマニュアル測定は可能であるが、面倒で、結果も不正確になりやすい。
【０００５】
ＥＰ２８９０１６１は、一対の補聴器を装着するユーザの音響的頭部サイズを決定する方法を示す。この手法を実現するための装備の最低要件は、２つの聴覚機器と、典型的には携帯電話である中間信号提供手段を利用することである。これらデバイスは、音響信号により互いに通信し、これにより、２つの耳の間の音響時間遅延が決定され、音響頭部サイズが推定される。この音響頭部サイズは、通常どおりに配置された一対の補聴器間の音響距離として定義され得る。補聴器のそれぞれのマイクロフォンにより得られた音響信号に関連付けられた時間遅延の値から、音響距離が得られる。
【発明の概要】
【発明が解決しようとする課題】
【０００６】
したがって、この発明の目的の１つは、現状技術の欠点を少なくとも低減することである。
【０００７】
上述の目的は、独立請求項に記載の音生成物体の装着者の耳の間の距離を決定する方法と、耳装着音生成物体と、従属項に記載の実施形態とにより達成される。
【課題を解決するための手段】
【０００８】
より具体的には、本開示の第１の態様は、音生成物体の装着者の耳の間の距離（Ｄ）を決定する方法を提供する。方法は、装着者の頭部の中心軸を取得するため、音生成物体の装着者の頭部の形状を表すモデルを選択することと、第１音生成物体を装着者の耳と関連付けることであって、第１音生成物体は、第１加速度計および第２加速度計を備え、加速度計のそれぞれ、即ち、第１加速度計および第２加速度計は、少なくとも装着者の頭部の中心軸に略直交する加速度成分（ａ１、ａ２）を測定するように配置されており、加速度成分（ａ１、ａ２）が同じ方向を有するように、第１および第２加速度計は、装着者の頭部の中心軸に略直交する直線が第１および第２加速度計を通過するように配置されており、第１および前記第２加速度計は、既知の距離（Δｒ）だけ離間している、前記関連付けることと、装着者の頭部が動くとき、第１加速度計によって、第１加速度成分（ａ１）の値を決定し、第２加速度計によって、第２加速度成分（ａ２）の値を決定することと、加速度成分（ａ１、ａ２）の取得された値に基づいて装着者の耳の間の距離（Ｄ）を決定することと、を備える。１つ以上の例示的方法において、装着者の耳の間の距離（Ｄ）を決定することは、モデルに基づく。１つ以上の例示的方法において、装着者の耳の間の距離（Ｄ）を決定することは、第１加速度計および第２加速度計の間の既知の距離に基づく。
【０００９】
ここで、本出願の内容における距離という用語は、ユークリッド距離、即ち空間内の２点の間の直線距離と解されるものとする。この場合、ユークリッド距離は、上述の音響距離と相関を持たせることはできない。さらに、装着者の頭部の中心軸は、水平面（地面）に略直交しており、頭部枢動点、すなわち頭部がその周りで左右に回動する点と交わる。さらに、第１音生成物体を装着者の耳に関連付けることは、物体を耳に、またはその近傍に配置することを伴う。
【００１０】
以下に、本発明の第１の態様を参照して、この発明の有利な効果と利点を提示する。
【００１１】
上述のように方法を実行することで、装着者の耳の間の距離の自動調整を実現することができる。即ち、ユーザが関与する必要がなくなるので、耳間距離は、手軽に、正確に決定される。さらに、上述の方法は、基本的にシンプルであるため、既存のソフトウェアに容易に統合可能である。本発明の方法により最終的に実現される効果は、音生成物体により生成される仮想（３次元）音響信号の提示の忠実度を上げることである。
【００１２】
さらに、頭部のサイズを正確かつ自動的に決定することで、音生成物体（特に補聴器）においてより高度なビームフォーミングモデルも利用可能となる。これに関連して、頭部のサイズが正確に決定されるとき、会話信号の到来方向（ＤＯＡ）の推定も飛躍的に向上できる。
【００１３】
本開示の別の態様において、第１耳装着音生成物体が提供される。第１音生成物体は、装着者の頭部の中心軸を取得するために音生成物体の装着者に頭部の形状を表すモデルを選択可能にする手段と、第１加速度計および第２加速度計と、を備える。加速度計のそれぞれ、即ち、第１加速度計および第２加速度計は、少なくとも装着者の頭部の中心軸に略直交する加速度成分（ａ１、ａ２）を測定するように配置されており、加速度成分（ａ１、ａ２）が同じ方向を有するように、第１および第２加速度計は、装着者の頭部の中心軸に略直交する直線が第１および第２加速度計を通過するように配置されており、第１および第２加速度計は、既知の距離（Δｒ）だけ離間している。第１加速度計は、第１加速度成分（ａ１）の値を決定する手段を備え、第２加速度計（１２）は、第２加速度成分（ａ２）の値を決定する手段を備える。第１耳装着音生成物体（４）は、加速度成分（ａ１、ａ２）の取得された値に基づいて、装着者の耳の間の距離（Ｄ）を決定する手段を備える。
【００１４】
例示的な１つ以上の第１耳装着音生成物体において、装着者の耳の間の距離（Ｄ）を決定する手段は、モデルに基づいて、装着者の耳の間の距離（Ｄ）を決定する手段を備える。例示的な１つ以上の第１耳装着音生成物体において、装着者の耳の間の距離（Ｄ）を決定する手段は、第１加速度計および第２加速度計の間の既知の距離に基づいて、装着者の耳の間の距離（Ｄ）を決定する手段を備える。
【００１５】
実施形態のさらなる利点および特徴が、図面に関連する以下のより詳細な説明を読むことで理解されよう。
【図面の簡単な説明】
【００１６】
【図１】耳装着音生成物体を概略的に示す、ユーザの頭部の斜視図である。
【図２】本発明の一実施形態に係る加速度計の構成の拡大図である。
【図３】本発明の一実施形態に係る方法のステップを示すフローチャートである。
【発明を実施するための形態】
【００１７】
本発明を、図面を参照して以下により詳細に説明する。同図には好ましい実施形態が示されている。ただし、本発明は、多数のその他形態で実施されてもよく、本明細書に規定された実施形態に限定されると解釈すべきではない。これらの実施形態は本開示を網羅的かつ完全にするために提供されたものであり、当業者に本発明の範囲を十分に知らしめるものである。図面において、同じ要素には同じ参照符号が付されている。
【００１８】
音生成物体の装着者の耳の間の距離（Ｄ）を決定する方法が開示される。方法は、装着者の頭部の中心軸を取得するため、音生成物体の装着者の頭部の形状を表すモデルを選択することを備える。
【００１９】
方法は、第１音生成物体を装着者の耳と関連付けること（配置すること、位置決めすること等）を備える。第１音生成物体は、第１加速度計および第２加速度計を備え、加速度計のそれぞれは、少なくとも装着者の頭部の中心軸に略直交する加速度成分（ａ１、ａ２）を測定するように配置される。加速度成分（ａ１、ａ２）が同じ方向を有するように、第１および第２加速度計は、装着者の頭部の中心軸に略直交する直線が第１および第２加速度計を通過するように配置されており、第１および第２加速度計は、既知の距離だけ離間している。したがって、耳の後ろ、耳の内部、あるいは部分的に耳の内部というように、第１音生成物体が装着者の耳に、またはその近傍に配置されることは明らかである。
【００２０】
方法は、装着者の頭部が動くとき、第１加速度計によって、第１加速度成分（ａ１）の値を決定し、第２加速度計によって、第２加速度成分（ａ２）の値を決定することと、モデル、第１および第２加速度成分（ａ１、ａ２）の取得された値、および第１加速度計と第２加速度計との間の既知の距離に基づいて、装着者の耳の間の距離（Ｄ）を決定することと、を備える。
【００２１】
第１加速度成分は、装着者の頭部の中心軸、および／または第１加速度計および第２加速度計を通過する直線に略直交し得る。言い換えると、第１加速度成分と、装着者の頭部の中心軸、および／または第１加速度計および第２加速度計を通過する直線とは略直交し得る。
【００２２】
第２加速度成分は、装着者の頭部の中心軸、および／または第１加速度計および第２加速度計を通過する直線に略直交し得る。言い換えると、第２加速度成分と、装着者の頭部の中心軸、および／または第１加速度計および第２加速度計を通過する直線とは略直交し得る。
【００２３】
方法において、距離（Ｄ）は、時間の関数として決定され、時間間隔において平均化されてもよい。時間間隔の長さは、少なくとも６０秒であってもよい。
【００２４】
（第１）耳装着音生成物体がさらに開示されている。耳装着音生成物体は、装着者の頭部の中心軸を取得するため、音生成物体の装着者に、装着者の頭部の形状を表すモデルを選択可能にする手段と、第１加速度計および第２加速度計と、を備える。加速度計のそれぞれは、少なくとも装着者の頭部の中心軸に略直交する加速度成分（ａ１、ａ２）を測定するように配置されており、加速度成分（ａ１、ａ２）が同じ方向を有するように、第１および第２加速度計は、装着者の頭部の中心軸に略直交する直線が、第１及び第２加速度計を通過するように配置されており、第１および第２加速度計は、既知の距離だけ離間している。第１加速度計は、第１加速度成分（ａ１）の値を決定する手段を備え、第２加速度計（１２）は、第２加速度成分（ａ２）の値を決定する手段を備える。耳装着音生成物体は、第１および第２加速度成分（ａ１、ａ２）の取得された値に基づいて、装着者の耳の間の距離（Ｄ）を決定する手段を備える。装着者の耳の間の距離（Ｄ）は、モデルに基づいてもよい。装着者の耳の間の距離（Ｄ）は、第１加速度計および第２加速度計の間の既知の距離に基づいてもよい。
【００２５】
言い換えると、音生成物体は、ユーザの耳に装着されるとき、第１加速度成分および第２加速度成分に基づいて、装着者の耳の間の距離（Ｄ）を決定するように構成される。加速度成分は、中心軸に略直交する平面内で決定される。
【００２６】
第１耳装着音生成物体は、聴覚機器であってもよい。
【００２７】
音生成物体は、ヘッドフォンのイヤパッドにより覆われてもよい。したがって、イヤパッドを備えるヘッドフォンが開示される。イヤパッドは、音生成物体を覆う。
【００２８】
音生成物体は、ヘッドセットの一部であるイヤピースであってもよい。したがって、イヤピースを備えるヘッドセットが開示される。イヤピースは、本明細書に開示される音生成物体を備える。
【００２９】
音生成物体は、ヒアラブルであってもよい。
【００３０】
さらに、装着者の耳の間の距離（Ｄ）を決定するため、本明細書に開示される耳装着音生成物体における第１加速度計および第２加速度計の使用がさらに開示される。加速度計のそれぞれは、少なくとも装着者の頭部の中心軸に略直交する加速度成分（ａ１、ａ２）を測定するように配置されており、第１加速度計は、第２加速度計から既知の距離だけ離間しており、第１加速度計は、装着者の頭部（２）が動くとき、第１加速度成分（ａ１）の値を決定する手段を備え、第２加速度計は、装着者の頭部（２）が動くとき、第２加速度成分（ａ２）の値を決定する手段を備える。
【００３１】
図１は、ユーザの頭部２の斜視図であって、耳装着音生成物体４を概略的に示す。より具体的には、頭蓋骨と、頸椎を含む背骨９の一部を示す。さらに、装着者の頭部の中心軸６と、対応する頭部枢動点５も示す。上記の定義のとおり、中心軸６は水平面（地面）に略直交し、頭部枢動点５、すなわち頭部がその周りで左右に回動する点と交わる。図示のように、頭部枢動点５は頭蓋骨と第１頸椎７（環椎とも呼ばれる）との間の接点に存在し得る。耳装着音生成物体４も図示されている。当該物体は、聴覚機器と、ヘッドフォンのイヤパッドと、ヘッドセットまたはヒアラブルの一部であるイヤピースとを含む群から選択され得る。音生成物体の関連する構造的特徴については、図２に関連してより詳細に説明する。
【００３２】
面倒ではあるが、特定の用途においては、実際の頭部枢動点を正確に決定することも可能である。その場合、中心軸の位置は、この情報に基づいて判断される。ただし、頭部の形状を既知の枢動点／中心軸位置を持つ、よく知られた形状体（例えば円筒形、楕円形、球形）で近似するというより効率的な手法もある。このような近似と、それによる頭部枢動点等のパラメータの推定は、当業者に周知である。本発明の目的に関して、上述の近似モデルは、十分な精度を実現し、周辺のソフトウェア環境に容易に統合可能である。
【００３３】
図２は、本発明の実施形態に係る加速度計構成の拡大図である。当該構成は上面図で示されており、中心軸は紙面に垂直となる。音生成物体（ここでは補聴器）が概略的に示される。補聴器は、少なくとも装着者の頭部の中心軸に略直交する加速度成分（ａ１、ａ２）をそれぞれ測定するように配置された第１および第２加速度計を備える。さらに、２つの加速度計は、装着者の頭部の中心軸に略直交する直線が、２つの加速度計を通過するように配置される。加速度計同士は、既知の距離（Δｒ）だけ離間する。補聴器において、この距離は、空間的制限により、通常は１０ｍｍ未満で、好ましくは５ｍｍから８ｍｍまでの間にある。
【００３４】
上述の構成を利用して、装着者の耳の間の距離（Ｄ）を決定するのに、２つの加速度計により測定される加速度は、それぞれａｍｅａｓ１（ｔ）およびａｍｅａｓ２（ｔ）であり、距離（Δｒ）は既知の距離である。ここで、計算される距離は、まず頭部の中心軸から第１加速度計への距離Ｒ１と対応する第２加速度計への距離Ｒ２である。ここで、Ｒ２＞Ｒ１である。即ち、Ｒ１がＲ２よりも中心軸の近くに位置する。図１に関連して上述したように、装着者の頭部の中心軸の位置は、音生成物体の装着者が頭部を表すモデルを選択するときに得られる。ユーザが頭を回転させ始めると、Ｒ２およびＲ１は以下のとおり計算される。
【００３５】
頭部の回転による角速度の大きさは、所定の時間ｔ０においてα０である。
【００３６】
α０は（時間ｔ０において）頭部全体で一定であるから、次式が得られる。
【００３７】
【数１】
2020520198.tif 000003
【００３８】
これをΔｒ＝Ｒ２−Ｒ１と組み合わせると、Ｒ１を解くための、２つの未知の値を含む、２つの数式が得られる。
【００３９】
【数２】
2020520198.tif 000004
【００４０】
距離Ｄは次のようになる。
【００４１】
【数３】
2020520198.tif 000005
【００４２】
上述のような方法を実行することで、装着者の耳の間の距離（Ｄ）の自動調整が実現される。言い換えると、ユーザの作業を要さずに、耳間距離が手軽にかつ正確に決定される。さらに、上述の方法は、基本的にシンプルであるため、既存のソフトウェアに容易に統合可能である。本発明の方法により最終的に実現される効果は、音生成物体により生成される仮想（３次元）音響信号の提示の忠実度を上げることである。さらに、頭部のサイズを正確かつ自動的に決定することで、より高度なビームフォーマも利用可能となる。これらに関連して、頭部のサイズが正確に決定されれば、会話信号の到来方向（ＤＯＡ）の推定も飛躍的に向上できる。
【００４３】
距離（Ｄ）を時間の関数として決定し、時間間隔で平均化することで、より好ましい、より低ノイズの結果が実現され得る。一般的に、この時間間隔の長さは少なくとも６０秒である。特定の用途では、より長い時間間隔であってもよい。
【００４４】
上述のように、２つの加速度計を有する補聴器が、従来技術として公知である。具体的には、そのような構成は、ＷＯ９９／１４９８５に開示されている。これは、小型補聴器の振動抑制を図るものである。この目的のため、２つの加速度計が、完全外耳道挿入型（ＣＩＣ）補聴器内に配置される。加速度計は、補聴器内のフィードバックループにより生じる振動を測定するため、物理的にそのハウジングに固定されるように、補聴器内に配置される。あるいは、それらの補聴器内での位置は完全に任意なものとなる。
【００４５】
図３は、本発明の一実施形態に係る、音生成物体の装着者の耳の間の距離（Ｄ）を決定する方法を示すフローチャートである。この方法は、補聴器、ヒアラブルまたはヘッドフォン等のデバイスで実行され得る。具体的には、加速度計が補聴器内に一体化された構成が、業界でも注目を浴びている。方法は、音生成物体手段の装着者の頭部の形状を表すモデルを選択することを備える（図３中の２０）。これは、装着者の頭部の中心軸を得るように、音生成物体の装着者に、頭部の形状を表すモデルを選択可能とする。好ましいモデルによると、例えば円筒形、楕円形、または球形のようなよく知られた形状体から頭部の形状が近似される。上述の近似モデルは、十分な精度を実現し、周辺のソフトウェア環境に容易に統合可能である。次に、方法は、第１音生成物体を装着者の耳に関連付けることを備える（図３中の３０）。ここで、第１音生成物体は、第１加速度計および第２加速度計を備える。加速度計のそれぞれは、少なくとも装着者の頭部の中心軸に略直交する加速度成分（ａ１、ａ２）を測定するように配置される。２つの加速度計は、既知の距離（Δｒ）だけ離間している。方法は、装着者の頭部が動くとき、第１加速度計によって、装着者の頭部の中心軸に略直交する第１加速度成分（ａ１）の値を決定し、第２加速度計によって、装着者の頭部の中心軸に略直交する第２加速度成分（ａ２）の値を決定することをさらに備える（図３中の４０）。方法はまた、加速度成分（ａ１、ａ２）の取得された値に基づいて、装着者の耳の間の距離（Ｄ）を決定することを備える（図３中の５０）。
【００４６】
さらに、以下の項目のいずれかに記載の方法、耳装着音生成物体、その利用法も開示される。
【００４７】
（項目１）
音生成物体（４）の装着者の耳の間の距離（Ｄ）を決定する方法であって、
前記装着者の頭部の中心軸（６）を取得するため、前記音生成物体（４）の前記装着者の前記頭部（２）の形状を表すモデルを選択すること（２０）と、
前記第１音生成物体（４）を前記装着者の耳と関連付けること（３０）であって、前記第１音生成物体（４）は、第１加速度計（１０）および第２加速度計（１２）を備え、前記加速度計（１０、１２）のそれぞれは、少なくとも前記装着者の頭部の前記中心軸（６）に略直交する加速度成分（ａ１、ａ２）を測定するように配置されており、前記加速度成分（ａ１、ａ２）が同じ方向を有するように、前記２つの加速度計（１０、１２）は、前記装着者の頭部の前記中心軸（６）に略直交する直線（１４）が前記２つの加速度計（１０、１２）を通過するように配置されており、前記２つの加速度計（１０、１２）は、既知の距離（Δｒ）だけ離間している、前記関連付けること（３０）と、
前記装着者の前記頭部（２）が動くとき、前記第１加速度計（１０）によって、前記第１加速度成分（ａ１）の値を決定し、前記第２加速度計（１２）によって、前記第２加速度成分（ａ２）の値を決定すること（４０）と、
前記加速度成分（ａ１、ａ２）の取得された前記値に基づいて、前記装着者の前記耳の間の距離（Ｄ）を決定すること（５０）と、を備える方法。
【００４８】
（項目２）
前記距離（Ｄ）は、時間の関数として決定され、時間間隔で平均化される、項目１に記載の方法。
【００４９】
（項目３）
前記時間間隔の長さは、少なくとも６０秒である、項目２に記載の方法。
【００５０】
（項目４）
第１耳装着音生成物体（４）であって、
装着者の頭部の中心軸（６）を取得するため、前記音生成物の前記装着者に、前記頭部（２）の形状を表すモデルを選択可能にする手段と、
第１および第２加速度計（１０、１２）であって、前記加速度計のそれぞれは、少なくとも前記装着者の頭部（２）の前記中心軸に略直交する加速度成分（ａ１、ａ２）を測定するように配置されており、前記加速度成分（ａ１、ａ２）が同じ方向を有するように、前記２つの加速度計（１０、１２）は、前記装着者の頭部の前記中心軸（６）に略直交する直線（１４）が前記２つの加速度計（１０、１２）を通過するように配置されており、前記２つの加速度計（１０、１２）は、既知の距離（Δｒ）だけ離間している、前記第１および前記第２加速度計（１０、１２）と、を備え、
前記第１加速度計（１０）は、第１加速度成分（ａ１）の値を決定する手段を備え、前記第２加速度計（１２）は、第２加速度成分（ａ２）の値を決定する手段を備え、
前記物体（４）は、前記加速度成分（ａ１、ａ２）の取得された前記値に基づいて、前記装着者の前記耳の間の距離（Ｄ）を決定する手段をさらに備える、第１耳装着音生成物体（４）。
【００５１】
（項目５）
前記音生成物体は聴覚機器である、項目４に記載の第１耳装着音生成物体（４）。
【００５２】
（項目６）
前記音生成物体は、ヘッドフォンのイヤパッドにより覆われる、項目４に記載の第１耳装着音生成物体（４）。
【００５３】
（項目７）
前記音生成物体は、ヘッドセットの一部であるイヤピースである、項目４に記載の第１耳装着音生成物体（４）。
【００５４】
（項目８）
前記音生成物体はヒアラブルである、項目４に記載の第１耳装着音生成物体（４）。
【００５５】
（項目９）
装着者の耳の間の距離（Ｄ）を決定するための、項目４から８のいずれか一項に記載の耳装着音生成物体（４）における、第１および第２加速度計（１０、１２）の使用であって、
前記加速度計（１０、１２）のそれぞれは、少なくとも前記装着者の頭部の中心軸（６）に略直交する加速度成分（ａ１、ａ２）を測定するように配置されており、
前記２つの加速度計は、既知の距離（Δｒ）だけ離間しており、
前記第１加速度計は、前記装着者の前記頭部（２）が動くときに第１加速度成分（ａ１）の値を決定する手段を備え、前記第２加速度計は、前記装着者の前記頭部（２）が動くときに第２加速度成分（ａ２）の値を決定する手段を備える、使用。
【００５６】
図面と明細書において、典型的な本発明の好ましい実施形態を開示した。具体的な用語を使用しているが、それはあくまで包括的かつ例示的で、限定を目的としたものではない。本発明の範囲は、添付の特許請求の範囲により規定される。
【図１】
2020520198.tif 000006
【図２】
2020520198.tif 000007
【図３】
2020520198.tif 000008
【国際調査報告】
2020520198.tif 000009
2020520198.tif 000010